(57)【特許請求の範囲】
【請求項１】
開放位置および閉鎖位置を取り得る少なくとも１つのクロージャ要素（１４）を有し、クロージャ装置（１０）には、前記クロージャ要素（１４）の前記開放位置および前記閉鎖位置を検出可能なセンサ装置（１６、１８、２０）が割り当てられる、キャブリオレルーフ構造体（１２）用のクロージャ装置（１０）において、
前記クロージャ装置（１０）は、前記開放位置および前記閉鎖位置に移動可能な第１の構成要素（３２）および第２の構成要素（３４）を備え、
前記センサ装置（１６、１８、２０）は、一つのみのセンサ（１６）と、当該センサによって検出可能な第１の領域（１８）及び第２の領域（２０）であって前記開放位置に割り当てられる第１の領域（１８）と、前記閉鎖位置に割り当てられる第２の領域（２０）とを備え、
前記センサ（１６）は、前記第１の構成要素（３２）および前記第２の構成要素（３４）のうちどちらか一方に配置され、前記第１の領域（１８）および前記第２の領域（２０）は、前記第１の構成要素（３２）および前記第２の構成要素（３４）のうち前記センサ（１６）が配置されていない方に配置され、
前記センサ（１６）は、前記クロージャ要素（１４）の前記開放位置に達したときに前記第１の領域（１８）を検出して第１の信号を生成し、前記クロージャ要素（１４）の前記閉鎖位置に達したときに前記第２の領域（２０）を検出して第２の信号を生成することを特徴とするキャブリオレルーフ構造体用のクロージャ装置（１０）。
【請求項２】
前記開放位置から外れると前記第１の信号が解除され、かつ前記閉鎖位置から外れると前記第２の信号が解除されることを特徴とする請求項１に記載のキャブリオレルーフ構造体用のクロージャ装置（１０）。
【請求項３】
前記第１の信号および前記第２の信号が、高レベル信号および低レベル信号のうちの同一種類の信号であることを特徴とする請求項１または２に記載のキャブリオレルーフ構造体用のクロージャ装置（１０）。
【請求項４】
前記第１の領域（１８）および前記第２の領域（２０）が前記クロージャ要素（１４）に設けられることを特徴とする請求項１〜３のいずれか一項に記載のキャブリオレルーフ構造体用のクロージャ装置。
【請求項５】
前記クロージャ要素（１４）および前記センサ（１６）が、開放位置および閉鎖位置を取り得る第１の構成要素および第２の構成要素のうち、同じ構成要素に配置されることを特徴とする請求項１〜４のいずれか一項に記載のキャブリオレルーフ構造体用のクロージャ装置。
【請求項６】
開放位置および閉鎖位置を取り得る第１の構成要素および第２の構成要素のうち、第１の構成要素に前記クロージャ要素（１４）が配置され、第２の構成要素に前記センサ（１６）が配置されることを特徴とする請求項１〜４のいずれか一項に記載のキャブリオレルーフ構造体用のクロージャ装置。
【請求項７】
前記センサ（１６）がホールセンサであり、前記第１の領域（１８）および前記第２の領域（２０）が、それらを取り囲む領域とは異なる磁気特性を有することを特徴とする請求項１〜６のいずれか一項に記載のキャブリオレルーフ構造体用のクロージャ装置。
【請求項８】
前記クロージャ要素（１４）が、ラッチ（２２）と相互作用するラッチ受けを形成するフックを含むことを特徴とする請求項７に記載のキャブリオレルーフ構造体用のクロージャ装置。
【請求項９】
前記第２の構成要素（３４）は、前記第１の構成要素（３２）に対して可動であることを特徴とする請求項５又は６に記載のキャブリオレルーフ構造体用のクロージャ装置。
【請求項１０】
請求項１〜９のいずれか一項に記載の少なくとも１つのキャブリオレルーフ構造体用のクロージャ装置を有することを特徴とするキャブリオレ用のルーフ構造体（１２）。
【請求項１１】
左側および右側にそれぞれ少なくとも１つのキャブリオレルーフ構造体用のクロージャ装置を有することを特徴とする請求項１０に記載のキャブリオレ用のルーフ構造体（１２）。
【請求項１２】
少なくとも１つのクロージャ要素が折畳式トップコンパートメントカバーに配置され、少なくとも１つのセンサがロックアームに配置されることを特徴とする請求項１１に記載のキャブリオレ用のルーフ構造体（１２）。
【発明の詳細な説明】
【技術分野】
【０００１】
本発明は、開放位置および閉鎖位置を取り得る少なくとも１つのクロージャ要素を備える、キャブリオレルーフ構造体用のクロージャ装置であって、少なくとも一時的に、開放位置および閉鎖位置を検出可能なセンサ装置が割り当てられるクロージャ装置に関する。さらに、本発明は、キャブリオレ用のルーフ構造体に関する。本発明は、キャブリオレルーフ構造体用のクロージャ装置、特に本発明によるクロージャ装置の監視方法にも関し、ここでクロージャ装置は、開放位置および閉鎖位置を取り得る少なくとも１つのクロージャ要素を備え、少なくとも一時的に、開放位置および閉鎖位置を検出可能なセンサ装置が割り当てられる。
【背景技術】
【０００２】
特にセンサ装置によって開放位置および閉鎖位置を調べて、キャブリオレの折畳式トップを開閉する間のルーフ構造体の運動を制御する制御手段のために、明白な情報を得ることが必要である。クロージャ要素が明白にそれらの開放位置にある場合にのみ、次の、例えば、液圧的な動作過程（ｈｙｄｒａｕｌｉｃ  ｍｏｖｅｍｅｎｔ  ｏｐｅｒａｔｉｏｎ）を開始できる。これにより、ルーフ構造体への損傷を回避できる。
【０００３】
クロージャ要素の開放位置および閉鎖位置を検出するために、従来技術では通例、いずれの場合も別個のセンサや別個のスイッチング素子を使用する。
【発明の開示】
【発明が解決しようとする課題】
【０００４】
本発明の目的は、クロージャ要素の開放位置および閉鎖位置を従来技術よりも高い費用効果で検出できるような、問題にしているタイプのクロージャ装置、および問題にしているタイプの方法を開発することに基づく。この目的は、独立請求項の特徴によって達成される。
【０００５】
本発明の有利な実施形態および発展形態は従属請求項から明らかとなる。
【課題を解決するための手段】
【０００６】
本発明によるクロージャ装置は問題にしているタイプの従来技術に基づき、センサ装置が、開放位置に達したときに第１の信号を生成しかつ閉鎖位置に達したときに第２の信号を生成するセンサを１つのみ含む。この解決法では、開放位置および閉鎖位置が同一のセンサによって検出されるので、従来技術において必要なセンサ数を半分にできる。これにより、部品にかかる費用を大幅に削減できる。
【０００７】
本発明によるクロージャ装置の場合、開放位置から外れると第１の信号が解除され、かつ閉鎖位置から外れると第２の信号が解除されることを提供することが好ましい。第１の信号および／または第２の信号が２値信号であれば、正論理および負論理の双方を適用できる。例えば、クロージャ要素が短期間だけ占める位置にある場合にのみ、実際に電圧を生成することが有利であろう。しかしながら、安全上の理由から、大抵の場合は、おそらくアクティブな信号によって開放位置および閉鎖位置を示すことが好ましいであろう。
【０００８】
本発明によるクロージャ装置の特に好ましい実施形態では、第１の信号および第２の信号が同一であることを提供する。最も単純で特に好ましい場合では、第１の信号および第２の信号の双方を単純な高レベル（ＨＩＧＨ  ｌｅｖｅｌ）によって形成し、クロージャ要素が開放位置にも閉鎖位置にもない場合にはセンサは常に低レベル（ＬＯＷ  ｌｅｖｅｌ）を生成する。第１の信号および第２の信号が同一である場合には、第１の信号または第２の信号が次に発生するときにある状態を知る必要がある。このようにするために、例えば、第１の信号または第２の信号が最後に発生した間のクロージャ要素の位置（開放位置または閉鎖位置）をメモリに記憶でき、メモリは、次に第１の信号または第２の信号が発生する間に対応して更新される。
【０００９】
本発明によるクロージャ装置の場合、センサ装置が、センサによって検出可能な第１の領域およびセンサによって検出可能な第２の領域を有し、第１の領域が開放位置に割り当てられ、かつ第２の領域が閉鎖位置に割り当てられることが特に好ましい。原理上は、非接触式に作動するセンサおよび機械的接触によって作動するセンサもまた、センサとして好適である。例えば、小型スイッチセンサ、光学センサ、容量センサ、誘導センサ、または対応する混合形式が可能であり、第１の領域および第２の領域を、使用されるセンサのタイプにそれぞれ好適に適応する。例えば、第１の領域および／または第２の領域は、程度の差はあるが光学的に反射する機械的接触面を有する場合もあり、または容量的および／または誘導的な変化を生じさせる場合もある。
【００１０】
これに関連して、第１の領域および第２の領域がクロージャ要素に設けられることが特に有利であると考えられる。この場合、センサは、クロージャ要素の開放位置にある第１の領域によって起動されかつクロージャ要素の閉鎖位置にある第２の領域によって起動されるように、少なくとも一時的に配置されることが好ましい。
【００１１】
本発明によるクロージャ装置の一実施形態では、クロージャ要素およびセンサを同一の構成要素に配置することを提供できる。この解決法は、例えば、センサの配線が極めて単純な方法で行われる、対応する構成要素が固定されており特にコンパクトな構成が望まれる場合に、有利であろう。
【００１２】
しかしながら、本発明によるクロージャ装置の実施形態は、クロージャ要素およびセンサを異なる構成要素に配置することを提供することが特に有利であると考えられる。
【００１３】
構成要素の少なくとも１つが可動構成要素であれば、可動構成要素の位置をこの解決法によって追加的に検出できる。それゆえ、例えば、単一のセンサを使用して以下の３つの状態を検出できる。すなわち、クロージャ要素が開放位置にある状態、クロージャ要素が閉鎖位置にある状態、および可動構成要素が移動した、例えば上昇した状態である。
【００１４】
本発明によるクロージャ装置の特に好ましい実施形態では、センサはホールセンサであり、第１の領域および第２の領域は、それらを取り囲む領域とは異なる磁気特性を有することを提供する。この場合、第１の領域および第２の領域を、例えば、クロージャ要素に好適な方法で接続されたかまたはそれに組み込まれた単純な永久磁石によって特に高い費用効果で形成できる。
【００１５】
さらに、クロージャ要素がフックを含むことが好ましい。しかしながら、原理上、所望の任意のクロージャ要素、例えば線状に可動なクロージャボルトや当業者に周知の任意の他のロック要素が好適であることは明らかである。
【００１６】
しかしながら、クロージャ要素がフックを含む場合、フックが、ラッチと相互作用するラッチ受けを形成することが好ましい。この場合、例えば、ラッチバーやラッチボルトによってラッチを形成でき、ラッチを可動構成要素に配置することが特に好ましい。
【００１７】
本発明による少なくとも１つのクロージャ装置を有するキャブリオレルーフ構造体は全て、関連する特許請求の保護範囲に含まれる。
【００１８】
このタイプのルーフ構造体と併せて、左右の側に少なくとも１つのクロージャ装置を有することが好ましい。重複した（ｒｅｄｕｎｄａｎｔ）このタイプの実施形態の場合、機能信頼性がさらに増大し、センサに欠陥があっても、開始された運動を確実に終了できる。
【００１９】
ルーフ構造体と併せて、それに限定はされないが、少なくとも１つのクロージャ要素を折畳式トップコンパートメントカバーに配置し、かつ少なくとも１つのセンサをロックアームに配置することをさらに提供できる。このタイプの解決法では、例えば、クロージャ要素の開放位置および閉鎖位置に加えてロックアームの動きを検出することが可能である。
【００２０】
本発明による方法は、問題にしているタイプの従来技術に基づき、
−開放位置に達したときに、センサ装置に割り当てられたセンサによって第１の信号を生成するステップ、および
−閉鎖位置に達したときに、センサによって第２の信号を生成するステップ
を含む。
【００２１】
前記解決法と同一または類似の方法によって、本発明によるクロージャ装置と併せて説明した特性および利点はもたらされるので、本発明によるクロージャ装置に対応する実施形態を説明し、重複する説明を省略する。
【００２２】
従って、以下の本発明による方法の好ましい実施形態にも同じことが当てはまり、本発明によるクロージャ装置と併せて対応する実施形態をこの関連で説明し、重複する説明を省略する。
【００２３】
本発明による方法は、さらに好ましくは、
−開放位置から外れると第１の信号を解除するステップ、および
−閉鎖位置から外れると第２の信号を解除するステップ
を含む。
【００２４】
この場合、第１の信号および第２の信号が同一であることが好ましい。
【００２５】
本発明による方法の好ましい発展形態は、
−正常化操作を実行して、同一信号のどちらが第１の信号でどちらが第２の信号かを確立するステップ、および
−正常化操作の結果を記憶するステップ
をさらに含むことができることを提供する。
【００２６】
そのような正常化操作を、例えば、初めに装置を作動させる前に、または第１の信号または第２の信号が現在開放位置または閉鎖位置に割り当てられているかどうかの情報が「失われた」場合に実行できる。正常化操作は、例えば、車両が停止状態にあるときに、クロージャ装置の全てをそれらの開放位置とするように準備することができる。この場合、次に第１の信号または第２の信号が発生するときには、閉鎖位置に達したことが明らかである。
【００２７】
本発明の有利な実施形態を、以下添付の図面を参照して一例として説明する。
【発明を実施するための最良の形態】
【００２８】
図面では、同じ参照符号は、同一または同類の構成要素を示し、それらの少なくとも一部は、繰返しを避けるために一度しか説明しない。
【００２９】
図１は、第１の構成要素３２の断面図、およびそれに対して可動である第２の構成要素３４の断面図を示す。第１の構成要素３２は、例えば折畳式トップコンパートメントカバーであり、第２の構成要素３４は、キャブリオレルーフ構造体のロックアームによって形成され得る。第２の構成要素３４は、棒状やボルト状のラッチ２２を有し、図面を参照すると、ラッチ２２は紙面の平面に対して延在するので、点線の形状で示す。さらに、第２の構成要素３４には、測定領域３６を有する、センサを形成する一方の部分（ｈａｌｆ  ｓｅｎｓｏｒ）であるセンサ１６が割り当てられている。センサ１６は、その測定領域３６の近傍に磁石が配置される場合に信号を生成する。第１の構成要素３２は、ラッチ２２と結合するラッチ受けを形成するフック形状を全体としてもたらすロック輪郭３０を有するクロージャ要素１４を装備する。クロージャ要素１４は回転軸２６の周りで旋回可能なように取り付けられ、クロージャ要素１４の旋回は、図１を参照すると、駆動ピン２４を駆動装置（図示せず）によって左側へ水平に動かすことによってもたらされる。そのように左へ動く場合、駆動ピン２４は、クロージャ要素１４に設けられた駆動トラック２８において摺動する（図１と図３を比較）。クロージャ要素１４は、センサ１６によって検出可能な第１の領域１８とセンサ１６によって検出可能な第２の領域２０とを有する。この場合、第１の領域１８は、クロージャ要素１４の開放位置に割り当てられ、第２の領域２０は、クロージャ要素１４の閉鎖位置に割り当てられる。第１の領域１８および第２の領域２０は双方とも、それぞれ永久磁石によって形成される。
【００３０】
図２は、閉鎖される２つの構成要素３２、３４がそれらのクロージャ位置にある、図１からのクロージャ装置を示す。図２によれば、クロージャ要素１４はまだ図１に示す位置、すなわちその開放位置にある。すなわち第１の構成要素３２および第２の構成要素３４は閉鎖されていない。構成要素３２、３４が図２に示すクロージャ位置にあり、クロージャ要素１４がその開放位置を取った場合、永久磁石によって形成される第１の領域１８は、図２では黒く示された測定領域３６によって示すように、センサ１６の測定領域３６の直ぐ近傍にある。センサ１６はホールセンサなので、それによりセンサ１６は「第１の」信号を生成する。電子制御手段（図示せず）は、クロージャ要素１４がその開放位置を取ったときにセンサ１６が最終的に信号を生成したことを認識し、第２の構成要素３４が移動できるようにする。一方で制御手段がクロージャ要素１４の位置を変更しなかったために、再び（第１の）信号が発生する場合には、第２の構成要素３４が再び第１の構成要素３２の方へ移動して現在そのクロージャ位置にあると結論付ける。それゆえ、制御手段は駆動ユニット（図示せず）に、駆動ピン２４を左側に移動させて構成要素３２、３４を閉鎖またはロックするように指示することができる。
【００３１】
図３は、２つの構成要素３２、３４がそれらのクロージャ位置にあり、クロージャ要素１４がその閉鎖位置を取った、図１のクロージャ装置を示す。駆動ピン２４の直線的な動きによって、クロージャ要素１４は回転軸２６の周りを反時計回りに約１３５°回転した。その結果、ラッチ２２をクロージャ要素１４のロック輪郭３０にロックした。図３に示すクロージャ要素１４の閉鎖位置では、永久磁石によって同様に形成される第２の領域２０が、センサ１６の測定領域３６の直ぐ近傍にある。その測定領域３６の近傍に磁石がなかったために、クロージャ要素１４が回転している間はセンサ１６は信号を生成しなかったので、図示の実施形態では、ここでセンサ１６は再び信号を、正確には、第１の信号と同一の第２の信号を生成する。センサ１６によって生成された信号が再び発生する場合、制御手段は、クロージャ要素１４が現在その閉鎖位置にありかつその結果第１の構成要素３２が第２の構成要素３４によってしっかりと閉鎖されているかまたはそれにロックされていると結論付ける。
【００３２】
当業者は、本発明によるクロージャ装置の監視方法は、構成要素３２、３４の上述のロック中に行われたものであり、それゆえ、上述の実施形態は前記方法の説明でもあることを認識するであろう。
【００３３】
さらに、クロージャ装置の開放またはロック解除操作を、上述の順序とは反対の順序で行うことは明白である。
【００３４】
図４は、キャブリオレ用のルーフ構造体１２を概略的に示す。この場合、本発明によるクロージャ装置１０は車両の両側に設けられ、そのようなクロージャ装置１０を１つのみ示している。
【００３５】
上述の説明、図面および特許請求の範囲に開示した本発明の特徴は、本発明を実現するために個別におよび任意の所望の組み合わせにおいて本質的なものとなり得る。
【図面の簡単な説明】
【００３６】
【図１】閉鎖される２つの構成要素がまだクロージャ位置にはない、本発明によるクロージャ装置の実施形態の概略図である。
【図２】閉鎖される２つの構成要素がそれらのクロージャ位置にあるが、クロージャ要素はまだその開放位置を取っている、図１からのクロージャ装置である。
【図３】閉鎖される２つの構成要素がそれらのクロージャ位置にあり、クロージャ要素がその閉鎖位置を取った、図１からのクロージャ装置である。
【図４】本発明によるクロージャ装置を装備するルーフ構造体の概略図である。
【符号の説明】
【００３７】
１０…クロージャ装置、１２…ルーフ構造体、１４…クロージャ要素、１６…センサ、１８…第１の領域、２０…第２の領域、２２…ラッチ、２４…駆動ピン、２６…回転軸、２８…駆動トラック、３０…ロック輪郭、３２…第１の構成要素、３４…第２の構成要素、３６…測定領域
【図１】
0005176258.tif 000002
【図２】
0005176258.tif 000003
【図３】
0005176258.tif 000004
【図４】
0005176258.tif 000005